(57)【要約】【課題】照明負荷を調光する際に簡単に調光することができ、且つ操作者に関わらず一定の調光レベルを確保できる調光器を提供する。【解決手段】調光器Ａは、器具本体１１と調光制御手段とを備えており、器具本体１１の中央上寄りには操作つまみ１０が前面側に露出した状態で設けられている。この操作つまみ１０には可変抵抗が取着されており、操作つまみ１０の操作量に応じて可変抵抗の抵抗値が変化し、その値に応じた位相角で調光制御手段がハロゲンランプを調光制御している。この調光器Ａでは、操作つまみ１０を位置Ｂと位置Ｃとの間で移動させると、調光制御手段はハロゲンランプの調光レベルを最小調光レベルと最大調光レベルとの間で単調に変化させる。さらに操作つまみ１０を位置Ｃと位置Ｄとの間で移動させると、調光制御手段はハロゲンランプの調光レベルを最大調光レベルと最大調光レベルより低い調光レベルとの間で単調に変化させる。【選択図】図１
2008053188.tif 000002
【特許請求の範囲】
【請求項１】
所定の操作範囲内で移動自在に設けられた調光操作手段と、前記調光操作手段の位置に応じて照明負荷の調光レベルを制御する調光制御手段とを備え、
前記調光操作手段は、操作範囲の一端側が調光レベルを最小とする調光レベル最小位置、操作範囲内の途中位置が調光レベルを最大とする調光レベル最大位置に設定され、
操作範囲の一端側から前記調光レベル最大位置までを前記調光制御手段が前記調光操作手段の位置に応じて前記照明負荷を最小調光レベルと最大調光レベルとの間で単調に変化させる単調調光区間とし、
前記調光レベル最大位置から操作範囲の他端側までの間に前記調光制御手段が前記照明負荷を最大調光レベルより低い調光レベルに調光する減光区間を設けたことを特徴とする調光器。
【請求項２】
前記調光制御手段は、前記減光区間において前記調光操作手段を前記調光レベル最大位置から他端側に移動させると、前記調光操作手段の位置に応じて前記照明負荷を最大調光レベルから最大調光レベルより低い所定の調光レベルまで単調に減少させることを特徴とする請求項１記載の調光器。
【請求項３】
前記調光制御手段は、前記減光区間において前記照明負荷を最大調光レベルより低い一定の調光レベルに調光することを特徴とする請求項１記載の調光器。
【発明の詳細な説明】
【技術分野】
【０００１】
本発明は、照明負荷を調光制御するための調光器に関するものである。
【背景技術】
【０００２】
従来より、トライアックの点弧位相角を変えることにより照明負荷を調光制御する調光器があった（例えば特許文献１参照）。この調光器は、主スイッチング素子として照明負荷に電源を供給するトライアックを有しており、このトライアックの主端子間には商用電源を全波整流するダイオードブリッジが接続されている。さらにダイオードブリッジの直流端子間には、固定抵抗器を介してコンデンサを充電する時定数回路と、固定抵抗器と直列接続された可変抵抗器の抵抗分圧によって基準電圧を可変できる基準電圧発生回路とが接続されている。また時定数回路を構成するコンデンサの端子間には、コンデンサの端子間電圧と基準電圧とを比較してコンデンサの端子間電圧が基準電圧に達すると、トライアックのゲートにトリガ信号を与えてトライアックを導通させる比較回路が接続されている。
【０００３】
この調光器には上下方向にスライド自在に移動するつまみが設けられており、つまみを上下方向にスライドさせることによって照明負荷の点灯、消灯及び調光がなされる。このつまみが下端位置にあるときは照明負荷は消灯しており、下端位置から上側に移動させると最小調光レベルで照明負荷が点灯する。さらにつまみを上側にスライドさせると照明負荷が高い調光レベルに調光され、上端位置で最大調光レベルに調光される。
【特許文献１】特開平１１−４５７８５号公報（第４頁−第５頁、及び、第１図−第４図）
【発明の開示】
【発明が解決しようとする課題】
【０００４】
上述の特許文献１に示した調光器では、つまみを下端側と上端位置との間でスライドさせることによって照明負荷を最小調光レベルと最大調光レベルとの間で調光することができる。しかし周囲の明るさ等に応じて調光することにより省エネを図ろうとする場合、この調光器では照明負荷の調光レベルを確認しながらつまみを上下にスライドさせて調整しなければならず、特に照明負荷の調光レベルが高い範囲で調整する場合には、調光レベルの変化が大きいので調整が難しいという問題があった。そのため操作者によって照明負荷の調光レベルにばらつきが生じる虞れがあった。
【０００５】
本発明は上記問題点に鑑みて為されたものであり、その目的とするところは、照明負荷を調光する際に簡単に調光することができ、且つ操作者に関わらず一定の調光レベルを確保できる調光器を提供することにある。
【課題を解決するための手段】
【０００６】
請求項１の発明は、所定の操作範囲内で移動自在に設けられた調光操作手段と、調光操作手段の位置に応じて照明負荷の調光レベルを制御する調光制御手段とを備え、調光操作手段は、操作範囲の一端側が調光レベルを最小とする調光レベル最小位置、操作範囲内の途中位置が調光レベルを最大とする調光レベル最大位置に設定され、操作範囲の一端側から調光レベル最大位置までを調光制御手段が調光操作手段の位置に応じて照明負荷を最小調光レベルと最大調光レベルとの間で単調に変化させる単調調光区間とし、調光レベル最大位置から操作範囲の他端側までの間に調光制御手段が照明負荷を最大調光レベルより低い調光レベルに調光する減光区間を設けたことを特徴とする。ここに途中位置とは、操作範囲の一端側と他端側との間の任意の位置をいう。
【０００７】
請求項２の発明は、調光制御手段は、減光区間において調光操作手段を調光レベル最大位置から他端側に移動させると、調光操作手段の位置に応じて照明負荷を最大調光レベルから最大調光レベルより低い所定の調光レベルまで単調に減少させることを特徴とする。
【０００８】
請求項３の発明は、調光制御手段は、減光区間において照明負荷を最大調光レベルより低い一定の調光レベルに調光することを特徴とする。
【発明の効果】
【０００９】
請求項１の発明によれば、調光操作手段が調光レベル最大位置を越えると、調光制御手段が照明負荷を最大調光レベルより低い調光レベルに調光しているので、調光操作手段を減光区間に合わせることによって、照明負荷を一定範囲の調光レベルに調光することができ、簡単な操作で一定の省エネ効果を得ることができるという効果がある。また調光操作手段を減光区間に合わせることによって、照明負荷を一定範囲の調光レベルに調光できるので、操作者による調光レベルのばらつきを低減することができるという効果がある。さらに調光操作手段を操作範囲の他端側に合わせることによって、照明負荷を一定の調光レベルに調光することができるので、操作者による調光レベルのばらつきをさらに低減することができるという効果がある。
【００１０】
請求項２の発明によれば、減光区間では調光制御手段が調光操作手段の位置に応じて照明負荷を最大調光レベルから所定の調光レベルまで単調に減少させているので、視覚的に違和感なく調光することができるという効果がある。
【００１１】
請求項３の発明によれば、減光区間では調光制御手段が照明負荷を最大調光レベルより低い一定の調光レベルに調光しているので、操作者に調光レベルが変わったことを確実に認識させることができるという効果がある。また調光操作手段を減光区間に合わせることによって、一定の調光レベルに調光することができるので、操作者による調光レベルのばらつきを低減することができるという効果もある。
【発明を実施するための最良の形態】
【００１２】
（第１の実施形態）
以下に本発明の第１の実施形態を図１〜図３に基づいて説明する。本発明に係る調光器Ａは、照明負荷（例えばハロゲンランプ３）の調光レベルを制御するために用いられる。
【００１３】
調光器Ａは、商用電源１からハロゲンランプ３に供給する電源を生成するための電子トランス２と、トライアックＱ１を位相制御することによってハロゲンランプ３の調光レベルを制御する調光回路９と、ハロゲンランプ３をオンオフするためのプッシュスイッチ７とを備えている。
【００１４】
図３（ａ）に調光器Ａの回路図を示す。商用電源１の両端間には雑音防止用のコンデンサＣ１が接続されている。コンデンサＣ１の一端側は整流回路４の交流入力端子の一端側に接続されており、他端側はプッシュスイッチ７の一端側に接続されている。さらにプッシュスイッチ７の他端側はヒューズＦ１を介して整流回路４の交流入力端子の他端側に接続されている。整流回路４の交流入力端子の両端間にはサージ吸収素子ＺＮＲが接続されており、整流回路４の直流出力端子の両端間には逆流防止用のダイオードＤ２を介して電解コンデンサＣ３が接続されている。また電解コンデンサＣ３の両端にはスイッチング電源５が接続されている。整流回路４の出力電圧はスイッチング電源５により安定な直流低電圧に変換されて、制御電源電圧Ｖｃｃとして制御用のマイコン６に供給される。
【００１５】
双方向スイッチング素子として位相制御されるトライアックＱ１は、主電極間にフォトトライアックＱ４と抵抗Ｒ１，Ｒ２の直列回路が接続されており、抵抗Ｒ１，Ｒ２の接続点がゲート電極に接続されている。ゲート電極と一方の主電極との間には雑音防止用のコンデンサＣ４が抵抗Ｒ２と並列に接続されている。トライアックＱ１の他方の主電極は電子トランス２の交流入力端子の一端側に接続されており、電子トランス２の交流入力端子の他端側は商用電源１の一端側に接続されている。また商用電源１の他端側はプッシュスイッチ７を介してトライアックＱ１の一端側に接続されている。さらに電子トランス２の出力端子間にはハロゲンランプ３が接続されている。尚、プッシュスイッチ７は単極双投の切替スイッチであり、プッシュスイッチ７の一方の接点には表示灯８が接続されている。そしてプッシュスイッチ７をオフすると、接点が表示灯８側に切替えられ表示灯８が点灯する。
【００１６】
ここで、マイコン６はタイマー機能を有しており、可変抵抗ＶＲ１により設定された調光設定値に応じてトライアックＱ１にフォトトライアックＱ４を介して位相制御信号を与えることで、ハロゲンランプ３を調光制御している。制御電源電圧Ｖｃｃは可変抵抗ＶＲ１により分圧され、その分圧点の電圧は抵抗Ｒ８，Ｒ９，コンデンサＣ８よりなるローパスフィルタ回路を介してマイコン６のＡ／Ｄ変換入力ポートＰ３に印加されている。このＡ／Ｄ変換入力ポートＰ３は、印加電圧に応じたデジタル値を取得できるポートであり、マイコン６は可変抵抗ＶＲ１の設定値をデジタル値として取り込むことができる。ここに可変抵抗ＶＲ１と、ローパスフィルタ回路と、Ａ／Ｄ変換入力ポートＰ３とでＡ／Ｄ変換入力回路１２を構成している。
【００１７】
図３（ｂ）はマイコン６に取込まれる可変抵抗ＶＲ１の抵抗値に対応するデジタル値とハロゲンランプ３の調光レベルとの関係を示している。可変抵抗ＶＲ１は回転式のボリュームからなり、その操作子には後述する回転つまみ１０が取付けられている。可変抵抗ＶＲ１の抵抗値は操作つまみ１０の位置に応じて設定され、この設定値に対応するデジタル値がマイコン６に取込まれる。操作つまみ１０が位置Ｂに設定されるとデジタル値はＦ１となり、マイコン６はハロゲンランプ３を最小調光レベルＬ１に調光する。また操作つまみ１０が位置Ｃに設定されるとデジタル値はＦ２となり、マイコン６はハロゲンランプ３を最大調光レベルＬ３に調光する。さらに操作つまみ１０が位置Ｄに設定されるとデジタル値はＦ３となり、マイコン６はハロゲンランプ３を最大調光レベルより低い調光レベルＬ２に調光する。
【００１８】
また操作つまみ１０が位置Ｂと位置Ｃとの間に設定されるとデジタル値はＦ１とＦ２との間で変化し、マイコン６はハロゲンランプ３の調光レベルを最小調光レベルＬ１と最大調光レベルＬ３との間でデジタル値の変化に応じて比例的に単調に変化（増加又は減少）させる。さらに操作つまみ１０が位置Ｃと位置Ｄとの間に設定されるとデジタル値はＦ２とＦ３との間で変化し、マイコン６はハロゲンランプ３の調光レベルを最大調光レベルＬ３と調光レベルＬ２との間で比例的に単調に変化させる。
【００１９】
また制御用のマイコン６は、フォトトライアックＱ４の駆動信号として位相制御信号を出力する。マイコン６の位相制御信号出力用の出力ポートＰ４には、抵抗Ｒ４とコンデンサＣ５の直列回路が接続されており、抵抗Ｒ４とコンデンサＣ５の接続点はフォトトライアックＱ４を駆動するためのＰＮＰトランジスタＱ２のベースに接続されている。ここに抵抗Ｒ４とコンデンサＣ５で構成されたローパスフィルタ回路は、ＰＮＰトランジスタＱ２がノイズにより誤動作しない程度の時定数となるように設計されている。フォトトライアックＱ４の発光素子の一端側は制御電源電圧Ｖｃｃのラインに接続されており、他端側は抵抗Ｒ３を介してＰＮＰトランジスタＱ２のエミッタに接続されている。またＰＮＰトランジスタＱ２のコレクタは制御電源電圧Ｖｃｃの負極側に接続されている。ここに出力ポートＰ４と、ローパスフィルタ回路と、ＰＮＰトランジスタＱ２と、抵抗Ｒ３とで位相制御信号出力回路１４を構成している。
【００２０】
出力ポートＰ４から出力される位相制御信号がＬレベルになると、ＰＮＰトランジスタＱ２がＯＮすることによって、フォトトライアックＱ４の発光素子が光トリガ信号を発生し、フォトトライアックＱ４がＯＮになる。また出力ポートＰ４から出力される位相制御信号がＨレベルになると、ＰＮＰトランジスタＱ２がＯＦＦすることによって、フォトトライアックＱ４の発光素子からの光トリガ信号がなくなり、フォトトライアックＱ４がＯＦＦになる。
【００２１】
さらにマイコン６はゼロクロス検出回路１３により商用電源１のゼロクロス点を検出しており、商用電源１の電源周期に同期した位相制御信号を出力することができる。ここで、ゼロクロス検出回路１３について説明する。整流回路４の直流出力端子には、図３（ａ）に示すように抵抗Ｒ５，Ｒ６の分圧回路が接続されている。抵抗Ｒ６には雑音防止用のコンデンサＣ６が並列に接続されており、抵抗Ｒ６とコンデンサＣ６の並列回路の電位はトランジスタＱ３のベース・エミッタ間に印加されている。トランジスタＱ３のエミッタは接地されており、コレクタは抵抗Ｒ７を介して制御電源電圧Ｖｃｃにプルアップされている。またトランジスタＱ３のコレクタ・エミッタ間には雑音防止用のコンデンサＣ７が接続されている。そしてトランジスタＱ３のコレクタは、マイコン６のゼロクロス信号検出用の入力ポートＰ２に接続されている。
【００２２】
整流回路４の出力電圧がゼロクロス付近では、抵抗Ｒ５，Ｒ６の分圧回路からトランジスタＱ３へのバイアスが小さくなり、トランジスタＱ３がＯＦＦし、マイコン６の入力ポートＰ２はＨレベルになる。また整流回路４の出力電圧がゼロクロス付近以外では、抵抗Ｒ５，Ｒ６の分圧回路からトランジスタＱ３のベースに与えられるバイアスによってトランジスタＱ３がＯＮするので、マイコン６の入力ポートＰ２はＬレベルとなる。従ってマイコン６は入力ポートＰ２からＨレベルの信号を取得することによって、商用電源１のゼロクロス点を検出することができる。
【００２３】
このように本実施形態の回路では、ハロゲンランプ３の調光制御を行うために、商用電源１のゼロクロス点を検出して位相制御信号を出力する調光回路９を有しており、マイコン６のタイマー機能を用いて商用電源１のゼロクロス点からトライアックＱ１に印加する駆動電圧の位相角を制御し、ハロゲンランプ３に印加する実効電圧を決定している。ここに調光回路９は、図３の破線部に示すように整流回路４、スイッチング電源５、マイコン６、トライアックＱ１、Ａ／Ｄ変換入力回路１２、位相制御信号出力回路１４、ゼロクロス検出回路１３等によって構成されている。またマイコン６などで調光制御手段を構成している。
【００２４】
次に調光器Ａの器具本体１１について図１に基づいて説明する。器具本体１１は、例えば壁等（図示せず）に埋込配設され、前面側からプレート１５が取着される。器具本体１１には、中央上寄りに操作つまみ１０が前面側に露出した状態で取着されている。また操作つまみ１０の下側には、ハロゲンランプ３を点灯又は消灯するためのプッシュスイッチ７が設けられており、プッシュスイッチ７の押操作部には、ハロゲンランプ３の消灯時に点灯する表示灯８が設けられている。
【００２５】
ここで、操作つまみ１０の位置とハロゲンランプ３の調光レベルの関係について図１及び図２に基づいて説明する。操作つまみ１０は、図１に示す位置Ｃを経由して位置Ｂと位置Ｄとの間で回動自在に操作することができ、図２に示すようにその位置に応じてハロゲンランプ３の調光レベルを調整することができる。ここに操作範囲の一端側の位置Ｂはハロゲンランプ３の調光レベルを最小調光レベルＬ１に調光する位置に、操作範囲の途中の位置Ｃはハロゲンランプ３の調光レベルを最大調光レベルＬ３に調光する位置に設定されている。また操作範囲の他端側の位置Ｄはハロゲンランプ３の調光レベルを最大調光レベルＬ３よりも低い調光レベルＬ２に調光する位置に設定されている。
【００２６】
まずプッシュスイッチ７をオンすると、表示灯８が消灯するとともにハロゲンランプ３に操作つまみ１０の位置に応じた位相角で電源が供給される。そして操作つまみ１０を位置Ｂと位置Ｃとの間で移動させると、マイコン６はハロゲンランプ３の調光レベルを図２に示すように、最小調光レベルＬ１と最大調光レベルＬ３との間で操作つまみ１０の操作量に比例して単調に変化（増加又は減少）させる。また操作つまみ１０を位置Ｃと位置Ｄとの間で移動させると、マイコン６はハロゲンランプ３の調光レベルを最大調光レベルＬ３と調光レベルＬ２との間で操作つまみ１０の操作量に比例して単調に変化させる。尚、プッシュスイッチ７をオフすると、ハロゲンランプ３への電源供給が遮断され、ハロゲンランプ３は消灯し、表示灯８が点灯する。
【００２７】
ここに操作つまみ１０の位置が位置Ｂから位置Ｃまでの区間を単調調光区間とし、操作つまみ１０の位置が位置Ｃから位置Ｄまでの区間を減光区間としている。また可変抵抗ＶＲ１と、操作つまみ１０とで調光操作手段を構成している。
【００２８】
この調光器Ａは、減光区間ではマイコン６がハロゲンランプ３の調光レベルを最大調光レベルＬ３より低い調光レベルに操作つまみ１０の操作量に比例して調光しているので、視覚的に違和感なく調光することができる。また操作つまみ１０を減光区間に合わせることによって、ハロゲンランプ３を最大調光レベルＬ３より低い一定範囲の調光レベルに調光することができるので、簡単な操作で一定の省エネ効果を得ることができ、且つ操作者による調光レベルのばらつきを低減することができる。さらに操作つまみ１０を減光区間の端位置Ｄに合わせることによって、ハロゲンランプ３を一定の調光レベルＬ２に調光することができるので、操作者による調光レベルのばらつきをさらに低減することができる。またハロゲンランプ３を最大調光レベルＬ３で使用した場合には、ハロゲンランプ３の高色温度の特徴を活かした照明演出を行なうことができる。
【００２９】
尚、本実施形態では、操作つまみ１０及びプッシュスイッチ７を用いてハロゲンランプ３の点灯、消灯及び調光を行っているが、例えば操作つまみ１０のみで点灯、消灯及び調光を行ってもよく、用いるスイッチは本実施形態に限定されるものではない。また本実施形態では、調光操作手段として回転式の操作つまみ１０を用いて説明したが、調光操作手段は本実施形態に限定されるものではなく、スライド式の操作つまみであってもよい。
【００３０】
さらに本実施形態では、操作つまみ１０の操作量に比例してハロゲンランプ３の調光レベルを増加又は減少させて調光制御を行っているが、必ずしも操作つまみ１０の操作量に比例して変化させなくてもよく、単調に増加又は減少させればよい。
【００３１】
また本実施形態では、ランプとしてハロゲンランプ３を用いて説明しているが、用いるランプは本実施形態に限定されるものではない。さらに本実施形態で用いた回路は１実施例であり、用いるランプ等に応じて適宜設計すればよい。
【００３２】
（第２の実施形態）
本発明の第２の実施形態を図１、図４及び図５に基づいて説明する。本実施形態の調光器Ａは、電子トランス２と、調光回路９と、プッシュスイッチ７とを備えており、第１の実施形態で説明した調光器Ａと調光回路９以外の構成は略同様であるので、同一の構成要素には同一の符号を付して説明を省略する。
【００３３】
調光回路９は、図５に示すように双方向スイッチング素子として位相制御されるトライアックＱ１を有しており、トライアックＱ１の主電極間には、可変抵抗ＶＲ１，抵抗Ｒ２及びコンデンサＣ１の直列回路が単極双投の切替スイッチＳＷ１の一方の接点を介して接続されている。また切替スイッチＳＷ１の他方の接点には抵抗Ｒ４の一端側が接続されており、抵抗Ｒ４の他端側は可変抵抗ＶＲ１と抵抗Ｒ２との接続点に接続されている。
【００３４】
さらに抵抗Ｒ２とコンデンサＣ１との接続点には、ダイアックＱ２の一方の主電極が接続されており、ダイアックＱ２の他方の主電極はトライアックＱ１のゲート電極に接続されている。さらにダイアックＱ２の一方の主電極とトライアックＱ１の一方の主電極との間には抵抗Ｒ３がコンデンサＣ１と並列に接続されている。
【００３５】
この調光器Ａでは、切替スイッチＳＷ１が可変抵抗ＶＲ１側に切替えられた場合には、可変抵抗ＶＲ１、抵抗Ｒ２及びコンデンサＣ１により決定する時定数に応じてトライアックＱ１の位相点弧角を制御しており、ハロゲンランプ３は可変抵抗ＶＲ１の抵抗値に応じて調光レベルが調整される。また切替スイッチＳＷ１が抵抗Ｒ４側に切替えられた場合には、抵抗Ｒ４，Ｒ２及びコンデンサＣ１により決定する時定数に応じてトライアックＱ１の位相点弧角を制御しており、ハロゲンランプ３は抵抗Ｒ４の抵抗値に応じた一定の調光レベルＬ４に調光される（図４参照）。ここに切替スイッチＳＷ１は操作つまみ１０の位置に応じて接点が切替わり、図４において位置Ｂと位置Ｅとの間では可変抵抗ＶＲ１側に、位置Ｅと位置Ｄとの間では抵抗Ｒ４側に切替えられる。尚、位置Ｅは位置Ｃと位置Ｄとの間に設けられている。また可変抵抗ＶＲ１は位置Ｂと位置Ｃとの間では最小抵抗値と最大抵抗値との間で操作つまみ１０の操作量に応じて変化し、位置Ｃで最大抵抗値となり、位置Ｃと位置Ｅとの間では最大抵抗値を維持している。
【００３６】
ここで、操作つまみ１０の位置とハロゲンランプ３の調光レベルの関係について図１及び図４に基づいて説明する。操作つまみ１０は、図１に示す位置Ｃを経由して位置Ｂと位置Ｄとの間で回動自在に操作することができ、図４に示すようにその位置に応じてハロゲンランプ３の調光レベルを調整することができる。ここに操作範囲の一端側の位置Ｂはハロゲンランプ３の調光レベルを最小調光レベルＬ１に調光する位置に、操作範囲の途中の位置Ｃはハロゲンランプ３の調光レベルを最大調光レベルＬ３に調光する位置に設定されている。また操作範囲の他端側の位置Ｄは最大調光レベルＬ３より低い一定の調光レベルＬ４に調光される位置に設定されている。
【００３７】
まずプッシュスイッチ７をオンすると、表示灯８が消灯するとともにハロゲンランプ３に操作つまみ１０の位置に応じた位相角で電源が供給される。そして操作つまみ１０を位置Ｂと位置Ｃとの間で移動させると、マイコン６はハロゲンランプ３の調光レベルを図４に示すように、最小調光レベルＬ１と最大調光レベルＬ３との間で操作つまみ１０の操作量に比例して単調に変化（増加又は減少）させる。さらに操作つまみ１０の位置が位置Ｃと位置Ｅとの間では、マイコン６はハロゲンランプ３を最大調光レベルＬ３に保持し、操作つまみ１０が位置Ｅを越えると切替スイッチＳＷ１が可変抵抗ＶＲ１側から抵抗Ｒ４側に切替えられ、マイコン６はハロゲンランプ３を図４に示すように抵抗Ｒ４の抵抗値に応じた一定の調光レベルＬ４に調光する。尚、プッシュスイッチ７をオフすると、ハロゲンランプ３への電源供給が遮断され、ハロゲンランプ３は消灯し、表示灯８が点灯する。
【００３８】
ここに操作つまみ１０の位置が位置Ｂから位置Ｃまでの区間を単調調光区間とし、操作つまみ１０の位置が位置Ｅから位置Ｄまでの区間を減光区間としている。
【００３９】
この調光器Ａでは、操作つまみ１０が位置Ｅを越えると、切替スイッチＳＷ１が可変抵抗ＶＲ１側から抵抗Ｒ４側に切替えられ、ハロゲンランプ３の調光レベルを抵抗Ｒ４の抵抗値に応じた最大調光レベルＬ３より低い一定の調光レベルＬ４に切替えることができるので、操作者にハロゲンランプ３の調光レベルが切替わったことを確実に認識させることができる。また操作つまみ１０を減光区間に合わせることによってハロゲンランプ３を最大調光レベルＬ３より低い一定の調光レベルＬ４に調光することができるので、一定の省エネ効果を得ることができ、且つ操作者による調光レベルのばらつきを低減することができる。
【図面の簡単な説明】
【００４０】
【図１】第１の実施形態の調光器の正面図である。
【図２】同上の操作つまみの位置とハロゲンランプの調光レベルとの関係を示すグラフである。
【図３】（ａ）は同上の回路図である。（ｂ）は同上の可変抵抗のＡ／Ｄ変換デジタル値とハロゲンランプの調光レベルとの関係を示すグラフである。
【図４】第２の実施形態の調光器の操作つまみの位置とハロゲンランプの調光レベルとの関係を示すグラフである。
【図５】同上の回路図である。
【符号の説明】
【００４１】
３      ハロゲンランプ
９      調光回路
１０    操作つまみ
１１    器具本体
Ａ      調光器
【図１】
2008053188.tif 000003
【図２】
2008053188.tif 000004
【図３】
2008053188.tif 000005
【図４】
2008053188.tif 000006
【図５】
2008053188.tif 000007